(57)【要約】      （修正有）【課題】本発明は、使用者が直接丼鉢に触れることなく着脱自在に丼鉢に嵌着できる、使用者が丼鉢の熱を感じず安全に取り扱える把手具を提供する。【解決手段】把手具１は、丼鉢に嵌着できる雌雄一対の半円環部材からなる円環体であって、前記半円環部材間の隣接する一端部において、雄型の半円環部材２の先端に設けられた突出部が、雌型の半円環部材３の先端に設けられた開口部５に、着脱自在に嵌合可能である開閉端部を有し、該開閉端部と正対する他端部においては、半円環部材間を回動可能に連結する軸部６を有し、該軸部６を中心とした半円環部材相互の回動により、前記円環体が開閉自在であることを特徴とする。使用者は、開放状態の把手具１を丼鉢の外側面から挟むようにあてがい、その後に把手具１を円環体、いわゆるリング状に閉止して丼鉢に完全に嵌着させればよく、使用者が丼鉢に直接触れることなく把手具１の嵌着が可能である。【選択図】図１
2020202888.tif 000002
【特許請求の範囲】
【請求項１】
丼鉢に嵌着できる、雌雄一対の半円環部材からなる円環体であって、前記半円環部材間の隣接する一端部において、雄型の半円環部材の先端に設けられた少なくとも一つの突出部が、前記突出部に対応して雌型の半円環部材の先端に設けられた少なくとも一つの開口部に、着脱自在に嵌合可能である開閉端部を有し、該開閉端部と正対する他端部においては、前記半円環部材間を回動可能に連結する軸部を有し、該軸部を中心とした前記半円環部材相互の回動により、前記円環体が開閉自在であることを特徴とする把手具。
【請求項２】
前記雄型の半円環部材に設けられた少なくとも一つの突出部の構造が、前記雌型の半円環部材との嵌合方向に向かって、押圧可能な可撓性を持って延出された係止片であって、前記係止片の先端に設けられた係止突起が、前記雌型の半円環部材の開口部に設けられた係合穴に係合されることにより、半円環部材相互を嵌合状態に係止可能であることを特徴とする、第一請求項記載の把手具。
【発明の詳細な説明】
【技術分野】
【０００１】
本発明は、着脱自在に丼鉢に嵌着できる把手具に係るものである。
【背景技術】
【０００２】
うどん、そば、ラーメン等の熱い汁物を丼鉢に入れて食事に供する際、丼鉢は調理物の熱により熱くなり、汁をいっぱいに入れてある丼鉢の取り扱いには、持ち手を丼鉢の縁と糸底とに掛けて持つなど、常に相当の注意を払わなければならなかった。
さらに飲食店では、衛生面から顧客に出す丼鉢の縁に指が触れぬよう扱うため、店員の習熟や熱さへの慣れが必要であった。さらに、家庭においても幼い子供が家事の手伝いで丼鉢を運ぶ際には、保護者は子供が丼鉢をこぼして火傷しないよう注意する必要があった。
このような課題の一端を解決すべく、丼鉢に嵌めて、または嵌めて置いて、食事の提供や丼鉢の予熱や丼鉢の洗いの時に、確実に丼鉢を取り扱うことができる、実用新案登録第３０９６０５７号公報に係る「丼鉢の把っ手具(以下、本発明の記載に即して該「把っ手具」も「把手具」という。)」の考案が開示されており、また、実用新案登録第３１８１０２５号公報には、平らなお盆の一部に穴をあけ、容器を固定することのできる「穴あきお盆」の考案が開示されている。
しかし、実用新案登録第３０９６０５７号公報に係る「丼鉢の把手具」の考案の実施においては、該把手具に対して上から丼鉢を嵌着するという構造から、把手具に丼鉢を嵌着する際に使用者がいったん丼鉢を直接持たねばならず、すでに熱い調理物をよそって熱くなり、汁をいっぱいに入れてある丼鉢の調理場から食卓への運搬の際、使用者が丼鉢の熱を感じず安全に取り扱えるという点において効果は限定的であった。
また、ひとたび嵌着すると丼鉢を持ち上げなければ把手具から外せない構造から、例えば飲食店において顧客に丼鉢に入った調理物を供するため卓上に丼鉢を載置した後、顧客が把手具を邪魔であると感じた場合等には、やはり丼鉢に直接触れ、丼鉢自体を持ち上げて把手具から外して置きなおす必要があり、使用者が丼鉢の熱を感じず安全に取り扱えるという点において効果は限定的であった。
これは、構造的に実用新案登録第３１８１０２５号公報に係る「穴あきお盆」においても同様である。
【先行技術文献】
【特許文献】
【０００３】
【特許文献１】実用新案登録第３０９６０５７号公報
【特許文献２】実用新案登録第３１８１０２５号公報
【発明の概要】
【発明が解決しようとする課題】
【０００４】
本発明は、使用者が直接丼鉢に触れることなく着脱自在に丼鉢に嵌着できる、使用者が丼鉢の熱を感じず安全に取り扱える把手具を提供することを目的とする。
【課題を解決するための手段】
【０００５】
本発明に係る請求項１記載の把手具は、丼鉢に嵌着できる、雌雄一対の半円環部材からなる円環体であって、前記半円環部材間の隣接する一端部において、雄型の半円環部材の先端に設けられた少なくとも一つの突出部が、前記突出部に対応して雌型の半円環部材の先端に設けられた少なくとも一つの開口部に、着脱自在に嵌合可能である開閉端部を有し、該開閉端部と正対する他端部においては、前記半円環部材間を回動可能に連結する軸部を有し、該軸部を中心とした前記半円環部材相互の回動により、前記円環体が開閉自在であることを特徴とする。  
【０００６】
本発明に係る請求項１記載の丼鉢の把手具について、さらに詳細に説明する。  本発明に係る丼鉢の把手具は円環体、いわゆるリング状であって、丼鉢の外側面に嵌着可能な形状をしている。  本発明に係る丼鉢の把手具は、雌雄一対の半円環部材からなる。  前記雌雄一対の半円環部材のうち、雄型の半円環部材の先端には少なくとも一つの突出部が設けられている。  前記雌雄一対の半円環部材のうち、前記突出部に対応して雌型の半円環部材の先端には少なくとも一つの開口部が設けられている。  本発明に係る丼鉢の把手具は、前記半円環部材間の隣接する一端部において、雄型の半円環部材の先端に設けられた突出部が、雌型の半円環部材の先端に設けられた開口部に、着脱自在に嵌合可能であり、該嵌合部分を説明の便宜上、開閉端部と称する。  本発明に係る丼鉢の把手具は、前記開閉端部と正対する他端部においては、前記半円環部材間を回動可能に連結する軸部を有する。  該軸部を中心とした前記半円環部材相互の回動により、前記円環体は開閉自在である。  これにより使用者は、本発明に係る丼鉢の把手具を丼鉢に嵌着する際、開放状態の把手具を丼鉢の外側面から挟むようにあてがい、その後に把手具を円環体、いわゆるリング状に閉止して丼鉢に完全に嵌着させればよく、使用者が丼鉢に直接触れることなく把手具の嵌着が可能であり、使用者が丼鉢の熱を感じず安全に取り扱える把手具となっている。  
【０００７】
本発明に係る請求項２記載の丼鉢の把手具は、請求項１記載の把手具において、前記雄型の半円環部材に設けられた少なくとも一つの突出部の構造が、前記雌型の半円環部材との嵌合方向に向かって、押圧可能な可撓性を持って延出された係止片であって、前記係止片の先端に設けられた係止突起が、前記雌型の半円環部材の開口部に設けられた係合穴に係合されることにより、半円環部材相互を嵌合状態に係止可能であることを特徴とする。
【０００８】
本発明に係る請求項２記載の把手具について、さらに詳細に説明する。
本発明に係る丼鉢の把手具は、前記雄型の半円環部材に設けられた少なくとも一つの突出部の構造が、押圧可能な可撓性を持った係止片となっている。
前記係止片は、前記雌型の半円環部材との嵌合方向に向かって延出される。
前記係止片の先端には、係止突起が設けられ、該係止突起を押圧することで、可撓性を持つ係止片を押し曲げることが可能である。
本発明に係る丼鉢の把手具は、前記雌型の半円環部材の開口部に、前記係止突起と対応する係合穴が、前記開口部の内外壁を貫通して設けられている。
前記係止突起が、前記係合穴に係合されることにより、半円環部材相互を嵌合状態に係止可能である。
つまり、系止突起を押圧して係止片を前記開口部内壁に沿って挿入すると、系止突起及び係止片が開口部内の係合穴に達して係止突起に対する圧力が解放されることで係止片の撓みが復帰し、係止突起が係合穴に係合して係止片全体が後退不能となり、半円環部材相互が嵌合状態に係止される。
半円環部材相互の嵌合状態を開放する際には、係合穴上から係止突起を押圧して係止突起及び係止片を係合穴から離脱させた状態のまま後退させればよい。
これにより、本発明に係る丼鉢の把手具を丼鉢に嵌着した際、半円環部材相互を嵌合状態に係止可能であるため、使用者の意に反して把手具の円環体が開放状態となって丼鉢を取り落とす危険が低減された把手具となっている。
【０００９】
本発明に係る請求項１記載の丼鉢の把手具は、前記開閉端部及び前記軸部以外の、円環体の開閉機能に関わらない外縁の軸対象に把持部、つまり持ち手が掛かり易い部分を設けて持ちやすくしてもよいし、把手具の全体的形状を外曲面部が内側へ凹状の弧面を有する円環体として持ちやすくしてもよい。
本発明に係る丼鉢の把手具の適用対象となる丼鉢は、上縁の内径が１３〜２０ｃｍの範囲のものが家庭や飲食店で多く用いられているため、本発明に係る丼鉢の把手具の内径は１３〜１８ｃｍの範囲とするのが好ましいが、上縁の内径が２０ｃｍを超えるいわゆる大盛り用の丼鉢や、上縁の内径が１０ｃｍ程度のいわゆる小盛り用の丼鉢に適応する内径サイズの把手具としてもよい。
また、本発明に係る把手具は必ずしも丼鉢のみに用いる必要はなく、飯茶碗や汁椀、下方へ内径が狭くなる勾配を有する鍋等、丼鉢と似た形状の食器及び調理器に用いてもよい。
本発明に係る丼鉢の把手具は、フェノール樹脂等の熱硬化性プラスチックで形成することが耐熱性及び耐久性の面から好ましく、また安価に製造できる。
【発明の効果】
【００１０】
本発明に係る請求項１記載の丼鉢の把手具は、使用者が丼鉢に直接触れることなく把手具の嵌着が可能であり、使用者が丼鉢の熱を感じず安全に取り扱えるという効果がある。
【００１１】
本発明に係る請求項２記載の丼鉢の把手具は、丼鉢に嵌着した際、半円環部材相互を嵌合状態に係止可能であるため、使用者の意に反して把手具の円環体が開放状態となって丼鉢を取り落とす危険が低減されるという効果がある。
【図面の簡単な説明】
【００１２】
【図１】本発明の第一実施形態に係る把手具の斜視図である。
【図２】本発明の第一実施形態に係る把手具の、雄型と雌型の半円環部材相互を嵌合状態に係止した状態の斜視図である。
【図３】本発明の第二実施形態に係る把手具の斜視図である。
【図４】本発明の第二実施形態に係る把手具の、雄型と雌型の半円環部材相互を嵌合状態に係止した状態の斜視図である。
【発明を実施するための最良の形態】
【００１３】
以下、添付図面に基づいて本発明の実施の形態を説明する。なお、本発明の技術的思想から逸脱しない限り、これら実施の形態に種々の変更及び／又は追加が可能なことは言うまでもない。
【実施例１】
【００１４】
図１及び図２は、本発明に係る丼鉢の把手具の一実施形態を示す実施例１の斜視図である。
図１においては、雄型の半円環部材２の先端に設けられた突出部４は、雌型の半円環部材３の先端に設けられた開口部５に嵌合されておらず、把手具１の円環体は開放状態にある。
図２においては、雄型の半円環部材２の先端に設けられた突出部４は、雌型の半円環部材３の先端に設けられた開口部５に嵌合されており、把手具１の円環体は閉止状態にある。
図１及び図２に示すように、本発明に係る把手具１は、雄型の半円環部材２と雌型の半円環部材３の、雌雄一対の半円環部材からなる円環体である。
雄型の半円環部材２の先端には突出部４とともに、押圧可能な可撓性を持った係止片８が設けられており、前記係止片８の先端には、係止突起９が設けられている。
雌型の半円環部材３の先端には開口部５とともに、前記係止突起９と対応する係合穴１０が、前記開口部５の内外壁を貫通して設けられている。
図１及び図２に示すように、本発明に係る丼鉢の把手具１は、前記開閉端部と正対する他端部においては、前記半円環部材間を回動可能に連結する軸部６を有する。
該軸部６を中心とした前記半円環部材相互の回動により、前記把手具１の円環体は開閉自在である。
図２に示すように、本発明に係る丼鉢の把手具は、前記半円環部材間の隣接する一端部において、雄型の半円環部材２の先端に設けられた突出部４が、雌型の半円環部材３の先端に設けられた開口部５に、着脱自在に嵌合可能であり、これにより把手具１の円環体は閉止状態となる。
これにより使用者は、把手具１を丼鉢に嵌着する際、開放状態の把手具１を丼鉢(図外)の外側面から挟むようにあてがい、その後に把手具１を円環体、いわゆるリング状に閉止して丼鉢に完全に嵌着させればよく、使用者が丼鉢に直接触れることなく把手具１の嵌着が可能であり、使用者が丼鉢の熱を感じず安全に取り扱えるという効果がある把手具となっている。
さらに、図１及び図２に示すように、把手具１には前記開閉端部と前記軸部以外の円環体の開閉機能に関わらない外縁の軸対象に把持部７、つまり持ち手が掛かり易い部分を設けて、使用者が把手具１及びそれが嵌着された丼鉢を持ちやすくしてある。
【００１５】
また、前記把手具１の円環体の閉止状態において、前記係止突起９が、前記係合穴１０に係合されることにより、半円環部材相互を嵌合状態に係止可能である。
つまり、系止突起９を押圧して係止片８を前記開口部５内壁に沿って挿入すると、系止突起９及び係止片８が開口部５内の係合穴１０に達して係止突起９に対する圧力が解放されることで係止片８の撓みが復帰し、係止突起９が係合穴１０に係合して係止片８全体が後退不能となり、半円環部材相互が嵌合状態に係止される。
半円環部材相互の嵌合状態を開放する際には、係合穴１０上から係止突起９を押圧して係止突起９及び係止片８を係合穴から離脱させた状態のまま後退させればよい。
これにより、本発明に係る丼鉢の把手具１を丼鉢に嵌着した際、半円環部材相互を嵌合状態に係止可能であるため、使用者の意に反して把手具１の円環体が図１に示すような開放状態となって丼鉢を取り落とす危険が低減された把手具となっている。
【実施例２】
【００１６】
図３及び図４は、本発明に係る丼鉢の把手具の一実施形態を示す実施例２の斜視図である。
図３においては、雄型の半円環部材２の先端に設けられた突出部４は、雌型の半円環部材３の先端に設けられた開口部５に嵌合されておらず、把手具１の円環体は開放状態にある。
図４においては、雄型の半円環部材２の先端に設けられた突出部４は、雌型の半円環部材３の先端に設けられた開口部５に嵌合されており、把手具１の円環体は閉止状態にある。
図３及び図４に示すように、雄型の半円環部材２の先端には突出部４とともに、押圧可能な可撓性を持った係止片８が２個設けられており、該２個の係止片８の先端にはそれぞれ係止突起９が設けられており、係止突起を複数有する特徴を持つ。
雌型の半円環部材３の先端には開口部５とともに、前記２個の係止突起９と対応する２個の係合穴１０が、前記開口部５の内外壁を貫通して設けられており、係合穴を複数有する特徴を持つ。
【００１７】
本発明の実施例２に係る把手具１は係止突起９を複数有することにより、図４のように半円環部材相互が嵌合状態である際、係合穴１０上から係止突起９を押圧して係止突起９及び係止片８を係合穴から離脱させる動作は複数の係止突起９に対して同時に行う必要があるから、使用者の意に反して把手具１の円環体が図３に示すような開放状態となって丼鉢を取り落とす危険が、実施例１に係る把手具１よりもさらに低減された把手具となっている。
その他の実施の態様及び効果は、第一実施形態と同様である。
【符号の説明】
【００１８】
１    把手具(円環体)
２    雄型の半円環部材
３    雌型の半円環部材
４    突出部
５    開口部
６    軸部
７    把持部
８    係止片
９    係止突起
１０    係合穴
【図１】
2020202888.tif 000003
【図２】
2020202888.tif 000004
【図３】
2020202888.tif 000005
【図４】
2020202888.tif 000006